(57)【特許請求の範囲】
【請求項１】
液透過性の表面シート、液不透過性の裏面シート及び両シート間に介在された吸収体を具備し、実質的に縦長に形成された吸収性物品において、
前記吸収体は、上層吸収体と、該上層吸収体より小型に形成され該上層吸収体の裏面側に積層された下層吸収体とを有しており、該上層吸収体の表面側における該下層吸収体の両側縁それぞれより外方に位置する部分に溝が形成され、該下層吸収体の両側縁とそれぞれの外方に位置する前記溝との間の水平距離が２〜１０ｍｍであり、
前記上層吸収体は、前記下層吸収体上に位置する部分の曲げモーメントが０．５〜６０ｍＮ・ｍであり、該上層吸収体は、該下層吸収体上に位置する部分が上方に向けて突出している吸収性物品。
【請求項２】
前記下層吸収体の幅が、前記上層吸収体の幅に対して２０〜７０％である請求項１記載の吸収性物品。
【請求項３】
前記吸収性物品は、幅方向において、肌当接面側への曲げに対する曲げモーメントが、非肌当接面側への曲げに対する曲げモーメントより大きい請求項１又は２記載の吸収性物品。
【請求項４】
前記下層吸収体は、厚み（Ｔ１）が２〜２０ｍｍであり、前記上層吸収体及び該下層吸収体が積層された部分における前記吸収性物品の厚み（Ｔ２）と、該上層吸収体が配され該下層吸収体が配されていない部分における該吸収性物品の厚み（Ｔ３）の厚み差（Ｔ２−Ｔ３）が１〜１０ｍｍである請求項１〜３の何れかに記載の吸収性物品。
【請求項５】
前記上層吸収体と前記下層吸収体との間が接着されていない請求項１〜４の何れかに記載の吸収性物品。
【請求項６】
前記上層吸収体における前記溝それぞれの外側に、更に溝が形成されている請求項１〜５の何れかに記載の吸収性物品。
【発明の詳細な説明】
【０００１】
【発明の属する技術分野】
本発明は、着用者の肌側に向けられる面に、凸状に突出する中高部を有する生理用ナプキン、失禁パット、パンティライナー等の吸収性物品に関する。
【０００２】
【従来の技術及び発明が解決しようとする課題】
従来、着用者の肌側に向けられる面（以下、肌当接面ともいう）における着用者の排泄部に配される部分に突出部を形成し、それにより、スポット吸収性を高めて吸収液の逆戻りを防止したり、肌への密着性を高めて漏れ防止効果を向上させた生理用ナプキンが提案されている（実開平６−１５６２１号公報等）。
【０００３】
しかし、従来のナプキンにおける突出部は、大型の下層吸収体上に小型の上層吸収体を積層してなる二層構成の吸収体を、小型の該上層吸収体が上方に突出するように、所定の箇所に配して形成されていたため、該突出部の周縁部に大きな段差が生じ、着用者によっては、装着時に不快に感じたり、見た目に違和感を感じる場合があった。
【０００４】
また、上層吸収体の側縁より外方に延出する下層吸収体の側部が、装着の際又は装着中に、肌当接面側に折れ曲がり、ナプキンの断面形状がＷ字状に変形することによって、漏れが生じたり、フィット感や装着感が悪化する場合があった。
【０００５】
従って、本発明の目的は、中高部の周縁部がなだらかな表面形状を有し、着用者に不快感や違和感を与えることを防止でき、また、断面Ｗ字形に変形しにくく、優れた漏れ防止性、フィット性及び装着感を確実に得ることのできる、生理用ナプキン、失禁パット、パンティライナー等の吸収性物品を提供することにある。
【０００６】
【課題を解決するための手段】
本発明は、液透過性の表面シート、液不透過性の裏面シート及び両シート間に介在された吸収体を具備し、実質的に縦長に形成された吸収性物品において、前記吸収体は、上層吸収体と、該上層吸収体より小型に形成され該上層吸収体の裏面側に積層された下層吸収体とを有しており、該上層吸収体の表面側における該下層吸収体の両側縁それぞれより外方に位置する部分に溝が形成され、該下層吸収体の両側縁とそれぞれの外方に位置する前記溝との間の水平距離が２〜１０ｍｍであり、前記上層吸収体は、前記下層吸収体上に位置する部分の曲げモーメントが０．５〜６０ｍＮ・ｍであり、該上層吸収体は、該下層吸収体上に位置する部分が上方に向けて突出している吸収性物品を提供することにより、上記の目的を達成したものである。
【０００７】
【発明の実施の形態】
以下、本発明をその好ましい一実施形態に基づいて説明する。
第１実施形態の生理用ナプキン１は、図１〜図３に示すように、液透過性の表面シート２、液不透過性の裏面シート３及び両シート間に介在された吸収体４を具備し、実質的に縦長に形成されている。
【０００８】
表面シート２及び裏面シート３は、それぞれ平面視において、両端縁が円弧状に形成され両側縁が直線状に形成された縦長形状を有しており、吸収体４の周縁部より外方に延出する周縁部において互いに接合されている。
裏面シート３の下面側には、粘着剤が塗布され、該ナプキン１をショーツ等の下着に固定するための固定部（図示せず）が形成されている。
【０００９】
第１実施形態のナプキン１における吸収体４は、上層吸収体４１と、該上層吸収体４１より小型に形成され該上層吸収体４１の裏面側に積層された下層吸収体４２とからなる。
上層吸収体４１は、両端縁が円弧状に形成され両側縁が直線状に形成された縦長形状を有している。下層吸収体４２は、長円形形状に形成され、平面積（平面視した場合の面積）が上層吸収体４１より小さく、上層吸収体４１の長手方向及び幅方向の中央部（長手方向及び幅方向の両端部近傍を除く部分）における該上層吸収体４１の裏面側に積層されている。
【００１０】
また、上層吸収体４１の表面側における、下層吸収体４２に対応する部分４１ａの幅方向の左右両側には、溝５が形成されている。即ち、上層吸収体４１の表面側における、該下層吸収体４２の両側縁４４それぞれより外方に位置する部分に溝５が形成されている。
第１実施形態のナプキン１における溝５は、表面シート２側からの押圧により、下層吸収体４２に対応する部分４１ａの周囲に、その全周に亘って形成されており、ナプキン１の両側部においては外方に向かって凹状に湾曲した円弧状に形成され、ナプキン１の両端部においては外方に向かって凸状に湾曲した円弧状に形成されている。溝５は、全体として、中央部が括れた縦長の楕円形状をなしている。
【００１１】
また、下層吸収体４２に対応する部分４１ａの幅方向両側に形成された溝５は、図１に示すように、下層吸収体４２の長手方向の両端縁４３，４３間に亘る長さを有している。
上層吸収体４１における下層吸収体４２に対応する部分４１ａとは、裏面側に下層吸収体４２が存在する部分であり、図１中、点線Ａで囲まれた部分である。
更に、吸収体４の長手方向両側縁に沿って、その両側縁の内側に、溝７が左右それぞれに形成されている。溝７は、溝５と同様に表面シート上側からの押圧により、上層吸収体４１上に施されている。図１においては、吸収体両側縁に沿って直線状に施されているが、溝５と同様に、幅方向の内方に向かって凸状に湾曲した円弧状に形成されていても良い。
【００１２】
下層吸収体４２の両側縁４４とその幅方向外方の溝５との間の水平距離Ｗ１は、中高部の周縁部をなだらかな表面形状とし、優れたフィット性及び装着感を得る観点から２〜１０ｍｍである。水平距離Ｗ１が最小となる部位（溝５が下層吸収体４２に最も近接する部位）における該水平距離Ｗ１は、下層吸収体４２の側縁４４から延出する上層吸収体４１の幅Ｗ２に対する比率が２〜６０％、特に５〜３０％であることが好ましい。
【００１３】
吸収した液が表面シート上又は吸収体にて拡がることなく、優れたスポット吸収性を得るためには、表面シート２側から上層吸収体４１に押圧された溝５が必要であり、該溝５の深さ（上層吸収体４１の上面からの深さ）Ｄは、１〜８ｍｍであることが好ましく、溝５の深さＤは、該溝５に隣接する部位における上層吸収体４１の厚みＴ４に対する比率が３０〜９０％、特に５０〜８０％であることが好ましい。
【００１４】
また、溝５の幅Ｗ３は、装着時の違和感を防止する観点から０．５〜４ｍｍであることが好ましい。
溝７の幅Ｗ６も、溝５と同様に着用時を防止する観点から０．５〜４ｍｍであることが好ましい。
吸収体両側部に施された溝７は、経血量が多い時、溝５を越えて幅方向外側に広がった経血を更に溝７で防止する働きがあるのみならず、上層吸収体のみとなる吸収体両側部分Ｗ２の領域を、股間に装着された時ヨレ難く、装着形状を安定に凸状に保つ働きある。即ち、足の動きによる大腿部からの圧縮力が吸収体両側部に働くが、吸収体両側部のＷ２領域に溝５、溝７を長手方向に施すことにより、応力が集中することがないため、部分的に大きくヨレることがない。
大腿部からの圧縮力を、両側部から吸収体中央部に伝達する為、吸収体中央部はより一層肌側に凸形状をとって排泄部にフィットするようになり、フィット性が高く、ヨレ難い漏れ防止効果を一層高めることが可能となる。
溝７を施す位置としては、吸収体両側端からの距離Ｗ７は３〜２０ｍｍが好ましく、溝５からの距離Ｗ８は３〜３０ｍｍ、特に５〜２０ｍｍが好ましい。
また、下層吸収体４２の幅Ｗ４は、上層吸収体４１の幅Ｗ５に対して２０〜７０％であることが好ましく、下層吸収体４２の長さＬ１は、上層吸収体４１の全長Ｌ２に対して２０〜８０％であることが好ましい。
また、下層吸収体４２の平面積は、上層吸収体４１の平面積の３〜７０％、特に５〜３０％であることが好ましい。
【００１５】
上層吸収体４１は、図２に示すように、下層吸収体４２上に位置する部分４１ａが上方に向けて突出している。そして、この突出した部分４１ａにより、ナプキン１の肌当接面Ｐの中央部に凸曲面状に突出した中高部６が形成されている。尚、上層吸収体４１の周縁部は、下層吸収体４２と同じ高さ位置にあり、該下層吸収体４２の周囲を囲んでいる。
【００１６】
上層吸収体４１は、下層吸収体４２上に位置する部分４１ａの曲げモーメントがテーバー値で０．５〜６０ｍＮ・ｍであり、１〜３０ｍＮ・ｍであることが好ましい。
テーバー値が０．５ｍＮ・ｍ以上であると、上層吸収体自体の過度の変形が抑制され、上層吸収体自体が大きくよれたりすることを防止できる。その結果、十分な吸収力があっても漏れが生じやすいというようなことが生じない。また、テーバー値が６０ｍＮ・ｍ以下であると、上層吸収体自体の剛性が過度に高くならないため、着用者の身体にフィットしなくなったり、身体との間に隙間が生じたりすることを防止でき、更には、着用者が違和感を感じたり、フィット感・装着感が損なわれることを防止できる。このような観点から、上記テーバー値は１〜３０ｍＮ・ｍであることが好ましい。
【００１７】
ここで、上層吸収体４１における、下層吸収体４２上に位置する部分４１ａの曲げモーメント（テーバー剛性値）は、以下のようにして測定される。
着用時の快適なフィット感、装着感を得る観点から、ナプキン１の剛性が上記範囲にあることが好ましい。従って、測定に用いる試験片は、ナプキン１の長手方向において調製する。
下層吸収体４２上に位置する部分４１ａの中心点を中心として、上層吸収体４１を、ナプキン１の長手方向に７０ｍｍ、幅方向に３８ｍｍの寸法に切り出す。切り出した試験片を用いて、ＪＩＳ  Ｐ８１２５に規定される方法に準拠して曲げモーメントを測定する。
上記Ｐ８１２５では、試験片の幅３８．０±０．２ｍｍを基準としているが、切り出した試験片は幅３０〜４０ｍｍの試験片を使用しても良い。その場合は、Ｐ８１２５に規定されるように、幅３８．０ｍｍの曲げモーメントに換算する。補助おもりは、支持荷重目盛が最大目盛の１５〜８５％の範囲に入るように、任意に選んで行う。
曲げモーメントは、テーバーこわさ試験機を用いて測定する。試験片は、肌当接面Ｐ側への曲げが、該試験機における左への曲げに相当するよう取り付け、左右両方向の曲げ荷重を平均して、曲げモーメントを求める。
【００１８】
また、ナプキン１（吸収性物品）は、その幅方向において、肌当接面Ｐ側への曲げ（図２中矢印Ｂ方向への曲げ）に対する曲げモーメントが、非肌当接面Ｑ側への曲げ（図２中矢印Ｃ方向への曲げ）に対する曲げモーメントより大きいことが好ましい。肌当接面Ｐ側への曲げモーメントが非肌当接面Ｑ側への曲げモーメントより大きいことにより、使用者が装着の際、または装着中に、ナプキン１（吸収性物品）が、図３に示すように、排泄部に沿って、鞍型の形状に容易に変形することができ、且つ、中高部の周縁がなだらかな形状となることから、排泄部に対する優れたフィット性や違和感のない快適な装着感を得ることができる。さらに、ナプキンの両側部が肌当接面Ｐ側へ折れ曲がってナプキンの断面形状がＷ字状に変形することがないため、溝による液広がり防止効果がにより安定して得られ、優れた漏れ防止効果を発揮することが可能となる。
【００１９】
ここで、肌当接面Ｐ側への曲げモーメントと非肌当接面Ｑ側への曲げモーメントの大小は、以下に示す方法により曲げモーメントを測定して比較する。
〔肌当接面Ｐ側への曲げに対する曲げモーメント〕
ナプキン１から切り出した試験片を用い、ＪＩＳ  Ｐ８１２５に規定される方法に準拠して曲げモーメントを測定する。
着用時にナプキン１が鞍型の形状をとることで、優れたフィット感、装着感が得られることから、ナプキン１の幅方向における曲げモーメントが重要となる。従って、測定に用いる試験片は、ナプキン１の幅方向に対して調製する。
即ち、着用者の排泄部に対向配置される吸収体部分、即ち上層吸収体４１と下層吸収体４２とが積層されている部分が含まれるように、ナプキン１を、長手方向の２カ所において幅方向に切断して、３８ｍｍ幅の試験片を得る。
上記Ｐ８１２５は試験片の幅３８．０±０．２ｍｍを基準としており、長さに関しては約７０ｍｍを基準とする。ナプキン１から切り出した上記試験片の長さ（ナプキン１の幅に相当）が７０ｍｍ超の場合は、７０ｍｍを超える部分（ナプキン１の両側縁部分）をカットして、試験片とする。
曲げモーメントは、テーバーこわさ試験機を用い測定する。本来の曲げモーメントは左右両方向の荷重を平均して求めるが、ここでは、肌当接面Ｐ側への曲げモーメントを測定するため、肌当接面Ｐ側への曲げが、試験機における左への曲げに相当するよう試験片を取りつけ、左への曲げ荷重のみを測定する。
〔非肌当接面Ｑ側への曲げに対する曲げモーメント〕
肌当接面Ｐ側への曲げに対する曲げモーメント測定に用いる試験片と同様に試験片を準備する。
非肌当接面Ｑ側への曲げモーメントは、非肌当接面Ｑ側への曲げが、上記試験機における左への曲げに相当するよう試験片を取りつけ、左への曲げ荷重のみを測定する。
【００２０】
尚、肌当接面Ｐ側への曲げモーメントは、非肌当接面Ｑ側への曲げモーメントに対して５％以上大きいことが好ましい。
【００２１】
着用者の排泄部に配される部分に下層吸収体４２を配することにより、身体との間の隙間を減少させ、特に排泄部へのフィット性を高め、且つ排泄された液を確実に吸収させることができる。斯かる観点から、下層吸収体４２は、その厚み（Ｔ１）が２〜２０ｍｍ、特に３〜１０ｍｍであることが好ましく、上層吸収体４１及び下層吸収体４２が積層された部分におけるナプキン１の厚み（Ｔ２）と、該上層吸収体４１が配され該下層吸収体４２が配されていない部分における該ナプキン１の厚み（Ｔ３）との厚み差（Ｔ５＝Ｔ２−Ｔ３）が１〜１０ｍｍ、特に２〜８ｍｍであることが好ましい。
【００２２】
また、上層吸収体４１と下層吸収体４２との間は、接着剤等により接着されていても良いが、両者間は接着されていないことが好ましい。両吸収体４１，４２間を接着しないことにより、排泄された液は、接着剤が塗工されることにより形成される接着界面により吸収を阻害されることなく素早く吸収される。また、上層吸収体と下層吸収体が接着されていないことにより、両界面の自由度があることにより、着用時の肌当接面への凸形状を取りやすくなる。
【００２３】
本実施形態の生理用ナプキンの形成材料について説明すると、表面シート２及び裏面シート３の形成材料としては、それぞれ、生理用ナプキン等の吸収性物品に従来用いられている各種の材料を特に制限なく用いることができる。
【００２４】
上層吸収体４１及び下層吸収体４２の形成材料としては、それぞれ、吸収性物品の吸収体に従来用いられている各種の材料を用いることができるが、フラッフパルプ、紙、不織布などの繊維集合体及び／又は吸水性ポリマーからなるものが好ましく、特に上層吸収体４１は、繊維集合体中に吸水性ポリマーを三次元的に分散させてなるものが好ましい。
吸水性ポリマーが三次元的に分散された吸収体を上層吸収体４１として用いると、排泄された液が上層吸収体４１に吸収された後、素早く吸水ポリマーで吸収・固定化することが可能となる。単なる繊維集合体のみで形成された上層吸収体４１であった場合、排泄された液は一旦上層吸収体４１に吸収されるが、上層吸収体４１中の繊維集合体において、繊維間を毛細管現象によって大きな液拡がりを起こし、吸収量が少ない場合においても液拡がりが大きくなってしまう。
尚、吸水性ポリマーが三次元的に分散されているとは、吸水性ポリマーが繊維集合体中の平面方向（水平方向）のみならず、厚み方向にも分散していることを意味する。吸水性ポリマーが平面方向（水平方向）に二次元的に散布されている場合は、逆に吸水性ポリマーが液を吸収することに起因するゲルブロッキングの大きな発生要因であり、結果として、十分な吸収量を有する吸収体として得ることが困難となる。
従って特に、平面方向及び厚み方向に均一に分散しているものが好ましい。
【００２５】
繊維集合体を構成する繊維としては、パルプ繊維、綿繊維、レーヨンやキュプラ等のセルロース系繊維、ポリエステル、ポリエチレン等の合成樹脂からなる合成繊維等が挙げられ、吸水性ポリマーとしては、自重の２０倍以上の液体を吸収・保持でき且つゲル化し得るものが好ましい。吸水性ポリマーの好ましい例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。繊維集合体は、不織布であっても良い。
【００２６】
また、上層吸収体４１は、生理食塩水に３０分間浸漬した後、遠心分離機にて２０００ｒｐｍ、１０分間脱水した後の液保持量が１００〜２０００ｇ／ｍ2 、特に２００〜１１００ｇ／ｍ2 であることが好ましい。
上層吸収体４１の液保持量が１００〜２０００／ｍ2 であると、排泄された液を上層吸収体で吸収保持することが可能となり、排泄された液量が多い場合は下層吸収体へ伝達し双方で液を吸収保持することが可能であり、また、上層吸収体のみで液を吸収・保持してしまい、下層吸収体へ吸収された液が効率良く伝達することを逆に阻害してしまうことがなく好ましい。特に排泄部相当部分に上層吸収体と下層吸収体を配するため、上下吸収体の液吸収能を効果的に活用するために上記範囲であることが好ましい。
また、下層吸収体４２の液保持量は、上層吸収体から伝達された液を効率良く吸収・固定化する吸収力が必要となる。これらの観点から、上記液保持量は２００〜２０００ｇ／ｍ2 、特に４００〜１５００ｇ／ｍ2 であることが好ましい。
【００２７】
上層吸収体４１及び下層吸収体４２の液保持量は、以下のようにして測定される。
生理用ナプキン１より上層吸収体４１を注意深く取り出し、幅５０ｍｍ×長さ１００ｍｍに切り出して試験片とする。また、下層吸収体４２の場合は、上層吸収体の上記試験片よりも幅又は長さが大きい場合は、上記幅又は長さに切り出して試験片とする。切り出した試験片を２５０ｍｅｓｈのナイロン網で作製した袋に入れる。この際、試験片の重量及びナイロン網の風袋をあらかじめ秤量する。試験片の入った袋のまま、生理食塩水中に浸漬し、３０分間放置する。試験片を袋ごと生理食塩水より取り出し、遠心分離機にて、２０００ｒｐｍ、１０分間脱水し、脱水後の重量を測定する。液保持量としては、以下の式より１ｍ2 当たりの液保持量として求める。
液保持量＝（脱水後の重量−（袋の重量＋試験片重量））／試験片の面積
【００２８】
本実施形態の生理用ナプキン１は、従来の生理用ナプキンと同様にショーツ等の所定位置に固定して使用することができる。
【００２９】
本実施形態の生理用ナプキン１は、上述の如く構成されているので、中高部６の周縁部に大きな段差が生じず、中高部６の周縁部がなだらかな曲面形状となる。そのため、着用者が、装着時に不快に感じたり、見た目に違和感を感じることがない。
【００３０】
また、本実施形態の生理用ナプキン１は、上述の如く構成されているので、図３に示すように、装着の際や装着中に、幅方向の断面形状が、着用者の股間部Ｋのアーチ形状に沿う逆Ｕ字状に変形し易く、そのため、断面形状がＷ字形に変形することによる、漏れの発生、フィット感や装着感の悪化等を防止することができ、優れた漏れ防止性、フィット感及び装着感を確実に得ることができる。
【００３１】
次に、本発明の第２実施形態の生理用ナプキンについて説明する。
第２実施形態の生理用ナプキン１’については、第１実施形態のナプキン１と異なる点について説明する。特に説明しない点に関しては、第１実施形態と同様であり、第１実施形態に関して上述した説明が適宜適用される。
【００３２】
第２実施形態の生理用ナプキン１’においては、図４に示すように、上層吸収体４１の表面側における下層吸収体４２に対応する部分４１ａの幅方向の両側にのみ溝５，５が形成されている。また、上層吸収体４１の全長は、第１実施形態と同じであるが、下層吸収体４２の長さＬ１は、第１実施形態のものよりも短い。尚，第２実施形態のナプキン１’における溝５及び溝７は、それぞれ、外方に向けて凹状に湾曲した円弧状の平面視形状を有している。図４のＹ−Ｙ線拡大断面は、溝５，７の位置が幅方向に若干ずれる以外、図２と同一に表れる。
【００３３】
第２実施形態のナプキン１’は、斯かる構成を有するので、第１実施形態のナプキン１と同様の作用効果が奏される。
【００３４】
本発明の吸収性物品は、上述した第１及び第２の実施形態に制限されるものではなく、本発明の趣旨を逸脱しない範囲において種々変更可能である。
例えば、下層吸収体４２は、ナプキン１の長手方向の前後何れかに偏倚していても良く、また、上層吸収体４１の長手方向の全長に亘るように配されていても良い。
また、吸収体４は、上層吸収体４１及び下層吸収体４２に加え、下層吸収体４２の裏面側等に第３の吸収層を有するものであっても良い。また、本発明は、生理用ナプキンの他、失禁パッド、パンティライナー等に適用することもできる。
【００３５】
【発明の効果】
本発明の吸収性物品は、中高部の周縁部がなだらかな表面形状を有し、着用者に不快感や違和感を与えることを防止でき、また、断面Ｗ字形に変形しにくく、優れた漏れ防止性、フィット性及び装着感を確実に得ることができるものである。
【図面の簡単な説明】
【図１】図１は、本発明の一実施形態としての生理用ナプキンを示す平面図である。
【図２】図２は、図１のＸ−Ｘ線拡大断面図である。
【図３】図３は、図１に示す生理用ナプキンの装着時の変形状態を示す模式図である。
【図４】図４は、本発明の他の実施形態としての生理用ナプキンを示す平面図である  。
【符号の説明】
１，１’  生理用ナプキン（吸収性物品）
２  表面シート
３  裏面シート
４  吸収体
４１    上層吸収体
４２    下層吸収体
４１ａ  上層吸収体の表面側における下層吸収体に対応する部分
５  溝
６  中高部
【図１】
0003801449.tif 000002
【図２】
0003801449.tif 000003
【図３】
0003801449.tif 000004
【図４】
0003801449.tif 000005